(57)【要約】【課題】商品の価格設定についての自由度を向上させることができる発注受付装置、及び、発注受付方法を提供する。【解決手段】発注受付装置１０は、端末３０から発注された商品の数量を発注ごとに受け付ける。発注受付装置１０は、商品の数量ごとに価格が設定された価格データを記憶する記憶部１３と、同一の商品について受け付けた数量の総数に対応付けられる価格を価格データに基づいて取得して総数に要する総額を決定し、総額に基づいて端末３０に出力する金額を算出する制御部１２と、を備える。【選択図】図１
2014132380.tif 000002
【特許請求の範囲】
【請求項１】
端末から発注された商品の数量を発注ごとに受け付ける発注受付装置であって、
商品の発注を受け付ける発注受付部と、
商品の数量ごとに価格が設定された価格データを記憶する記憶部と、
同一の商品について受け付けた数量の総数に対応付けられる価格を前記価格データに基づいて取得して前記総数に要する総額を決定し、前記総額に基づいて前記端末に出力する金額を算出する制御部と、
を備えることを特徴とする発注受付装置。
【請求項２】
前記発注受付部は、同一の商品について複数の発注を受け付け可能であり、
前記制御部は、前記総額を各発注の数量に応じて按分して前記端末に出力する発注ごとの金額を算出する
請求項１に記載の発注受付装置。
【請求項３】
前記制御部は、
商品について発注を受け付ける期間を設定し、
前記期間内に前記発注を受け付けたとき、当該受け付けまでの前記総数を用いて、前記端末に出力する金額を見積もり金額として算出し、
前記期間が経過したとき、前記期間が経過したときの前記総数を用いて、前記端末に出力する金額を確定金額として算出する
請求項１または２に記載の発注受付装置。
【請求項４】
前記記憶部には、
複数の発注者が含まれる発注グループが設定された発注者データと、
商品と前記発注グループとが対応付けられた商品データと、が記憶され、
前記発注受付部は、
前記商品データに基づいて、商品と対応付けられた前記発注グループに属する発注者からのみ当該商品の発注を受け付ける
請求項１〜３のいずれか一項に記載の発注受付装置。
【請求項５】
前記価格データでは、商品の数量が複数の範囲に分けられ、前記複数の範囲の少なくとも１つについて、前記範囲と前記範囲に含まれる数量での商品の総額を示す価格とが対応付けられる
請求項１〜４のいずれか一項に記載の発注受付装置。
【請求項６】
前記価格データでは、
前記複数の範囲の一部について、前記範囲と商品１つあたりの単価を示す価格とが対応付けられ、
前記複数の範囲の前記一部を除く部分について、前記範囲と前記範囲に含まれる数量での商品の総額を示す価格とが対応付けられる
請求項５に記載の発注受付装置。
【請求項７】
端末から発注された商品の数量を発注ごとに受け付ける発注受付方法であって、
商品の数量ごとに価格が設定された価格データに基づいて、同一の商品について受け付けた数量の総数に対応付けられる価格を取得して前記総数に要する総額を決定するステップと、
前記総額に基づいて前記端末に出力する金額を算出するステップと、
を含むことを特徴とする発注受付方法。
【発明の詳細な説明】
【技術分野】
【０００１】
本開示の技術は、商品の発注を受け付ける発注受付装置、及び、発注受付方法に関する。
【背景技術】
【０００２】
近年、インターネット等のネットワークを利用した受発注システムが開発されている。こうしたシステムの１つでは、特定の商品について複数の発注者からの発注を受け付けて、合計の発注数量が一定数以上となった場合に、商品が販売される。このような販売形態では、受注者は一定数以上の商品の受注を確保できるため、商品が割引価格にて販売される（特許文献１参照）。
【先行技術文献】
【特許文献】
【０００３】
【特許文献１】特開２００２−６３４５９号公報
【発明の概要】
【発明が解決しようとする課題】
【０００４】
ところで、上述のシステムでは、合計の発注数量が一定数以上となった場合の販売価格のみが設定されるため、商品の価格設定についての自由度が低い。
本開示の技術は、商品の価格設定についての自由度を向上させることが可能な発注受付装置、及び、発注受付方法を提供することを目的とする。
【課題を解決するための手段】
【０００５】
上記課題を解決する発注受付装置は、端末から発注された商品の数量を発注ごとに受け付ける発注受付装置であって、商品の発注を受け付ける発注受付部と、商品の数量ごとに価格が設定された価格データを記憶する記憶部と、同一の商品について受け付けた数量の総数に対応付けられる価格を前記価格データに基づいて取得して前記総数に要する総額を決定し、前記総額に基づいて前記端末に出力する金額を算出する制御部と、を備える。
【０００６】
上記課題を解決する発注受付方法は、端末から発注された商品の数量を発注ごとに受け付ける発注受付方法であって、商品の数量ごとに価格が設定された価格データに基づいて、同一の商品について受け付けた数量の総数に対応付けられる価格を取得して前記総数に要する総額を決定するステップと、前記総額に基づいて前記端末に出力する金額を算出するステップと、を含む。
【０００７】
上記構成によれば、商品の価格が商品の数量に応じて設定され、設定された価格と発注された商品の数量とに応じて価格が算出されるため、商品の価格設定についての自由度を向上させることができる。
【０００８】
上記発注受付装置について、前記発注受付部は、同一の商品について複数の発注を受け付け可能であり、前記制御部は、前記総額を各発注の数量に応じて按分して前記端末に出力する発注ごとの金額を算出することが好ましい。
【０００９】
上記構成によれば、同一の商品について複数の発注を受け付けた場合に、発注の合計の数量から総額が決定され、総額が各発注の数量に応じて按分されて発注ごとの金額が算出される。したがって、発注の合計の数量に応じて価格が決定されるにあたり、的確に発注ごとの金額が算出される。
【００１０】
上記発注受付装置について、前記制御部は、商品について発注を受け付ける期間を設定し、前記期間内に前記発注を受け付けたとき、当該受け付けまでの前記総数を用いて、前記端末に出力する金額を見積もり金額として算出し、前記期間が経過したとき、前記期間が経過したときの前記総数を用いて、前記端末に出力する金額を確定金額として算出することが好ましい。
【００１１】
上記構成によれば、発注の時点での見積もり金額と、発注が締め切られた後の確定した金額とが算出されるため、発注者にとっての利便性が高まる。
上記発注受付装置について、前記記憶部には、複数の発注者が含まれる発注グループが設定された発注者データと、商品と前記発注グループとが対応付けられた商品データと、が記憶され、前記発注受付部は、前記商品データに基づいて、商品と対応付けられた前記発注グループに属する発注者からのみ当該商品の発注を受け付けることが好ましい。
【００１２】
上記構成によれば、商品を発注できる権限を有する発注者がグループ単位で管理される。したがって、商品を発注できる発注者が商品ごとに異なる場合でも、その管理が容易になる。
【００１３】
上記発注受付装置について、前記価格データでは、商品の数量が複数の範囲に分けられ、前記複数の範囲の少なくとも１つについて、前記範囲と前記範囲に含まれる数量での商品の総額を示す価格とが対応付けられることが好ましい。
【００１４】
上記構成によれば、商品の数量に応じた総額が価格データとされるため、制御部による発注の合計の数量に対する総額の決定が容易になる。
上記発注受付装置について、前記価格データでは、前記複数の範囲の一部について、前記範囲と商品１つあたりの単価を示す価格とが対応付けられ、前記複数の範囲の前記一部を除く部分について、前記範囲と前記範囲に含まれる数量での商品の総額を示す価格とが対応付けられることが好ましい。
【００１５】
上記構成では、数量と商品の単価及び総額のいずれかとが対応付けられて価格データが構成される。したがって、例えば商品の生産形態に応じて、より自由度の高い価格設定が可能となる。
【発明の効果】
【００１６】
本開示の技術によれば、商品の価格設定についての自由度を向上させることができる。
【図面の簡単な説明】
【００１７】
【図１】本開示の技術の一実施形態における発注受付装置の構成を示すブロック図。
【図２】同実施形態の品目情報データベースを構成する価格データの構成を示す図。
【図３】同実施形態における発注者の認証処理の手順を示すシーケンス図。
【図４】同実施形態における印刷物データの登録の手順を示すシーケンス図。
【図５】同実施形態における印刷物デザインの登録の手順を示すシーケンス図。
【図６】同実施形態における印刷物デザインの校了の手順を示すシーケンス図。
【図７】同実施形態における価格データの登録の手順を示すシーケンス図。
【図８】同実施形態における発注可能な印刷品目の一覧画面の一例を示す図。
【図９】同実施形態における現在価格の算出の手順を示すフローチャート。
【図１０】同実施形態における印刷品目に対する発注画面の一例を示す図。
【図１１】同実施形態における見積もり金額の算出の手順を示すフローチャート。
【図１２】同実施形態における印刷物の発注の手順を示すシーケンス図。
【図１３】同実施形態における確定金額の通知の手順を示すシーケンス図。
【図１４】変形例の価格データの構成を示す図。
【発明を実施するための形態】
【００１８】
図１〜図１３を参照して、発注受付装置、及び、発注受付方法の一実施形態について説明する。なお、本実施形態において、発注受付装置は、例えば、１つの企業に属する複数の事業所が各別に同じ広告を発注する場合等、複数の発注者が同一の印刷品目を発注する場合に用いられる。
【００１９】
まず、図１及び図２を参照して、発注受付装置の構成について説明する。
［発注受付装置の構成］
図１に示されるように、発注受付装置１０には、ネットワークＮＷを介して、受注者端末２０と発注者端末３０とが接続される。これらの端末は、いずれもパーソナルコンピュータ等からなるコンピュータ端末である。受注者端末２０は、例えば印刷会社の担当者等、印刷物の制作を請け負う受注側の担当者に操作される。発注者端末３０は、受注者に印刷物の制作を依頼する発注側の担当者に操作される。発注受付装置１０には、１以上の受注者端末２０と、複数の発注者端末３０とが接続される。
【００２０】
発注受付装置１０は、サーバ機能を有し、通信部１１、制御部１２、及び、記憶部１３を備えている。通信部１１は、発注受付装置１０と受注者端末２０との接続処理、及び、発注受付装置１０と発注者端末３０との接続処理を実行する。また、通信部１１は、接続先となる端末との間でデータの送信及び受信を行う。なお、通信部１１及び制御部１２が、発注受付部として機能する。
【００２１】
制御部１２は、データ処理部１２ａと金額算出部１２ｂとして機能する。データ処理部１２ａは、通信部１１にて受信されるデータに基づいて、記憶部１３に記憶されるデータの登録や更新を行う。また、データ処理部１２ａは、受注者端末２０及び発注者端末３０からの要求に応じて、記憶部１３に記憶されるデータを、通信部１１を介して受注者端末２０及び発注者端末３０に送信する。
【００２２】
金額算出部１２ｂは、発注者端末３０から通信部１１を介して受信されたデータと記憶部１３に記憶されているデータとに基づいて、発注された印刷物の見積もり金額を算出する。また、金額算出部１２ｂは、設定された発注締切日が経過したと判断されるとき、記憶部１３に記憶されているデータに基づいて、発注された印刷物の確定金額を算出する。
【００２３】
記憶部１３は、発注者情報データベース１３ａと品目情報データベース１３ｂと発注記録データベース１３ｃとを格納している。発注者情報データベース１３ａには、複数の発注者の各々について、名称や発注グループ等の発注者データが登録されている。発注グループは、同一の印刷品目を発注できる構成員からなるグループであり、グループの各構成員から発注される数量は印刷品目ごとに個別の発注数量として取り扱われ、個別の発注数量の合計は印刷品目ごとの合計発注数量として取り扱われる。発注グループは、例えば、企業や団体ごとに設定されて、各発注グループには、当該企業や団体に属する複数の事業所等、複数の発注者が含まれる。品目情報データベース１３ｂには、複数の印刷品目の各々について、発注締切日等の印刷物データと、印刷物のデザインデータと、印刷物の数量に応じた価格を示す価格データとが登録されている。発注記録データベース１３ｃには、各発注者による各印刷品目に対する発注内容を示す発注データが登録されている。
【００２４】
図２を参照して、品目情報データベース１３ｂに登録される価格データについて説明する。
図２に示されるように、価格データＤａは、印刷物の数量と相互に異なる価格とが対応付けられたテーブルである。価格の種類には、印刷物１部あたりの価格を示す単価価格と、複数枚の印刷物が印刷される印刷単位ごとの価格を示す一括価格とがある。
【００２５】
例えば、「広告Ａ」という印刷品目の価格は、１部から１００部までは単価価格が４００円であり、１０１部から１０００部までは一括価格が４００００円であり、１００１部から３０００部までは一括価格が５００００円である。すなわち、１部から１００部までは１部あたりの単価が４００円に固定され、合計数量に対する総額は部数に応じて変動する。また、１０１部から１０００部までは、部数に関わりなく総額が４００００円に固定され、１部あたりの単価は部数に応じて変動する。また、１００１部から３０００部までは、総額が５００００円に固定され、単価は部数に応じて変動する。このように、価格データＤａでは、単価価格及び一括価格のいずれか一方と、当該価格が適用される数量の範囲とが対応付けられている。
【００２６】
なお、単価価格と一括価格とのいずれによって価格が設定されるかは、印刷機の仕様等の生産形態に応じて定まり、通常、印刷部数が所定数よりも少ない場合には単価価格が設定され、印刷部数が所定数よりも多い場合には一括価格が設定される。また、価格データＤａにおける価格は、部数が多いほど利益率が低くなるように設定される。したがって、部数が多いほど割引率が高い。
【００２７】
価格データＤａは、印刷品目ごとに品目情報データベース１３ｂに登録される。
図３〜図１３を参照して、記憶部１３への各データの登録と印刷物の発注の手順について説明する。
【００２８】
［発注者データの登録］
上述の発注者情報データベース１３ａへの発注者データの登録について説明する。発注者データは、印刷物の発注が行われる前に、予め登録される。発注者データには、発注者の名称や連絡先等の基本情報と、発注グループのうちの当該発注者が所属するグループとが含まれる。
【００２９】
発注者データは、予め発注者の情報を得た受注者によって、受注者端末２０に入力されて、受注者端末２０から発注受付装置１０に送信される。発注受付装置１０では、データ処理部１２ａが受信された発注者データを発注者情報データベース１３ａに登録する。発注者データが発注者情報データベース１３ａに登録されると、登録された発注者データと対応付けられたログイン用の認証情報であるログインＩＤとパスワードとが設定され、受注者端末２０に通知される。認証情報は、受注者から発注者に通知される。なお、発注者データの登録は発注者によって発注者端末３０から行われ、認証情報が発注者端末３０に通知されてもよい。
【００３０】
［認証処理］
図３を参照して、発注受付装置１０における発注者の認証処理について説明する。
図３に示されるように、発注者によって発注者端末３０にログインＩＤとパスワードとが入力されると（ステップＳ１０）、発注者端末３０は、これらの認証情報を発注受付装置１０に送信する（ステップＳ１１）。
【００３１】
発注受付装置１０では、データ処理部１２ａが、受信された認証情報を用いて認証処理を行い（ステップＳ１２）、認証が成功すると、当該認証情報に対応する発注者データを発注者情報データベース１３ａから取得する（ステップＳ１３）。データ処理部１２ａは、取得された発注者データに基づいて、発注者端末３０に表示させるメニュー画面の表示データを発注者端末３０に送信する（ステップＳ１４）。
【００３２】
発注者端末３０では、受信された表示データに基づいて、メニュー画面が表示される（ステップＳ１５）。なお、認証が失敗した場合には、発注受付装置１０から発注者端末３０にエラー情報が送信されて、発注者端末３０にはエラー表示が表示される。
【００３３】
メニュー画面には、発注者の名称や、発注者が使用する機能を選択する際に用いる選択領域等が表示される。発注者が使用できる機能には、印刷品目の登録や印刷物の発注がある。印刷品目の登録が選択されると、発注者端末３０には、印刷物データの登録画面や、印刷品目の確認画面や、印刷物デザインの承認画面が表示される。また、印刷物の発注が選択されると、発注者端末３０には、発注可能な印刷品目の一覧画面や、印刷品目に対する発注画面や、発注済の印刷品目の確認画面が表示される。
【００３４】
また、受注者にも認証情報としてログインＩＤとパスワードとが割り当てられており、受注者は、受注者端末２０に認証情報を入力して発注受付装置１０の認証を受けることにより、メニュー画面から使用する機能を選択できる。受注者が使用できる機能には、印刷品目の確認や、価格データの登録、各種の情報管理等がある。印刷品目の確認が選択されると、受注者端末２０には、印刷品目の確認画面や、印刷物デザインの登録画面が表示される。価格データの登録が選択されると、受注者端末２０には、価格データの登録画面が表示される。
【００３５】
発注受付装置１０では、ログインＩＤとユーザが使用できる機能とが対応付けられており、発注者と受注者とは、ログインＩＤによって識別される。
［印刷品目の登録］
図４〜図６を参照して、印刷品目の登録の手順について説明する。印刷品目の登録では、印刷物の発注に先立って、発注者が受注者に制作を依頼する印刷物の内容が発注受付装置１０に登録される。印刷品目の登録は、発注者による印刷物データの登録、受注者によるデザインデータの登録、発注者による印刷物デザインの校了の手順で行われる。
【００３６】
図４を参照して、印刷物データの登録について説明する。
図４に示されるように、発注者によって、印刷物データの登録画面から発注者端末３０に印刷物データが入力される（ステップＳ２０）。印刷物データには、印刷品目の名称、当該印刷品目に対する発注が許可される１以上の発注グループ、発注締切日、印刷物デザインの作成に用いられるデザイン情報等が含まれる。入力された印刷物データは、発注者端末３０から発注受付装置１０へ送信される（ステップＳ２１）。
【００３７】
発注受付装置１０では、データ処理部１２ａが、受信された印刷物データを品目情報データベース１３ｂに登録する（ステップＳ２２）。品目情報データベース１３ｂに印刷物データが登録されると、データ処理部１２ａが、印刷物データが登録されたことを示す登録通知を受注者端末２０に送信する（ステップＳ２３）。登録された印刷物データは、印刷品目の確認画面から確認することが可能となる。
【００３８】
図５を参照して、印刷物デザインの登録について説明する。
受注者は、印刷物データの登録の通知を受けて受注者端末２０から登録された印刷物データを確認すると、デザイン情報に基づいて印刷物デザインを作成する。
【００３９】
図５に示されるように、受注者によって、作成された印刷物デザインのデータが印刷物デザインの登録画面から受注者端末２０に入力される（ステップＳ３０）。入力されたデザインデータは、受注者端末２０から発注受付装置１０へ送信される（ステップＳ３１）。
【００４０】
発注受付装置１０では、データ処理部１２ａが、受信されたデザインデータを品目情報データベース１３ｂに登録する（ステップＳ３２）。このとき、デザインデータは、品目情報データベース１３ｂ内の対応する印刷物データと対応付けられて登録される。また、登録されたデザインデータには「未承認」のステータスが設定される。品目情報データベース１３ｂにデザインデータが登録されると、データ処理部１２ａが、印刷物デザインが登録されたことを示す登録通知を発注者端末３０に送信する（ステップＳ３３）。登録された印刷物デザインは、印刷品目の確認画面から確認することが可能となる。また、「未承認」のステータスが設定された印刷物デザインについて発注者端末３０から承認を行うことが可能となる。
【００４１】
図６を参照して、印刷物デザインの校了について説明する。
図６に示されるように、印刷物デザインの登録の通知を受けた発注者は、印刷品目の確認画面から、承認を行う印刷物デザインの選択を行う。印刷物デザインの選択に応じた信号が発注者端末３０に入力されると（ステップＳ４０）、発注者端末３０は、選択された印刷物デザインのデータの要求信号を発注受付装置１０に送信する（ステップＳ４１）。
【００４２】
発注受付装置１０では、発注者端末３０からの要求信号に応じて、データ処理部１２ａが、該当するデザインデータを品目情報データベース１３ｂから取得して発注者端末３０に送信する（ステップＳ４２）。
【００４３】
デザインデータが受信されると、発注者端末３０には、印刷物デザインが表示される。発注者は、印刷物デザインの承認画面から、承認もしくは差し戻しの選択を行う。承認の選択に応じた信号が発注者端末３０に入力されると（ステップＳ４３）、発注者端末３０は、印刷物デザインの承認を示す信号を発注受付装置１０に送信する（ステップＳ４４）。
【００４４】
承認信号が受信されると、発注受付装置１０では、データ処理部１２ａが、該当するデザインデータのステータスを「承認済」に更新する（ステップＳ４５）。そして、データ処理部１２ａは、印刷物デザインが承認されたことを示す承認通知を受注者端末２０に送信する（ステップＳ４６）。印刷物デザインの承認の通知を受けると、受注者は、例えば製版等、印刷物の制作の準備を行う。
【００４５】
なお、発注者が印刷物デザインの差し戻しを選択する場合には、印刷物デザインの差し戻しを示す信号が発注者端末３０から発注受付装置１０に送信される。そして、受注者端末２０に印刷物デザインの差し戻しが通知される。この場合、発注者によって印刷物デザインが承認されるまで、印刷物デザインの再作成、印刷物デザインの登録、印刷物デザインの承認の判断が繰り返される。
【００４６】
デザインデータのステータスが「承認済」に更新されることにより印刷物デザインが校了すると、印刷品目の登録が完了する。
［価格データの登録］
図７を参照して価格データの登録について説明する。印刷品目の登録が完了すると、受注者端末２０では、印刷品目に対して価格データの登録が可能となる。
【００４７】
図７に示されるように、受注者によって価格データの登録画面から印刷物の数量に応じた価格が受注者端末２０に入力される（ステップＳ５０）。このとき、価格の種類として、数量範囲ごとに単価価格または一括価格が選択される。入力された価格データは、受注者端末２０から発注受付装置１０に送信される（ステップＳ５１）。
【００４８】
発注受付装置１０では、データ処理部１２ａが、受信された価格データを対応する印刷物データと対応付けて品目情報データベース１３ｂに登録する（ステップＳ５２）。これにより、上述の価格データＤａが品目情報データベース１３ｂに登録される。
【００４９】
［印刷物の発注］
図８〜図１２を参照して印刷物の発注について説明する。まず、図８〜図１１を参照して、印刷物の発注が行われる際に発注者端末３０に表示される画面のうち、発注可能な印刷品目の一覧画面及び印刷品目に対する発注画面の表示内容について説明する。
【００５０】
図８に示されるように、発注可能な印刷品目の一覧画面Ｐａには、価格データの登録が完了した印刷品目のうち、発注期限内であって、当該印刷品目に対する発注が許可される発注グループに、当該発注者の属する発注グループが指定されている印刷品目が表示される。
【００５１】
また、発注可能な印刷品目の一覧画面Ｐａには、各々の印刷品目について、管理番号や名称、印刷物デザイン、発注締切日等の品目情報データベース１３ｂに登録されている情報と、現在の１部あたりの単価である現在単価とが表示される。
【００５２】
図９を参照して、現在単価の算出の手順について説明する。図９に示されるフローチャートは、発注者端末３０から発注可能な印刷品目の一覧画面Ｐａの表示が要求されるごとに、金額算出部１２ｂにて行われる処理である。金額算出部１２ｂは、現在単価の算出対象となる印刷品目に対し、品目情報データベース１３ｂに登録されている印刷品目の価格データ、及び、発注記録データベース１３ｃに登録されている印刷品目の発注データに基づいて、印刷品目の最新の単価である現在単価を算出する。
【００５３】
図９に示されるように、ステップＳ１００にて、価格データにおいて、現在単価の算出対象となる印刷品目に対し、今回の処理時点までの合計発注数量と対応付けられる価格が一括価格か否かが判断される。ステップＳ１００にて、合計発注数量と対応付けられる価格が一括価格ではない、すなわち、単価価格であると判断されると（ステップＳ１００にてＮＯ）、ステップＳ１０５に進み、単価価格が現在単価として出力される。ステップＳ１００にて、合計発注数量と対応付けられる価格が一括価格であると判断されると（ステップＳ１００にてＹＥＳ）、ステップＳ１０１に進み、一括価格が合計発注数量で除算される。続いて、ステップＳ１０２に進み、ステップＳ１０１で求められた値に、小数点以下の端数があるか否かが判断される。
【００５４】
ステップＳ１０２にて、端数がないと判断されると（ステップＳ１０２にてＮＯ）、ステップＳ１０４に進み、ステップＳ１０１で求められた値が現在単価として出力される。ステップＳ１０２にて、端数があると判断されると（ステップＳ１０２にてＹＥＳ）、ステップＳ１０３に進み、端数が切り上げられる。そして、ステップＳ１０４にて、端数が切り上げられた値が現在単価として出力される。なお、現在単価の算出対象となる印刷品目の発注者が単数である場合には、個別の発注数量が合計発注数量として取り扱われる。
【００５５】
図１０に示されるように、印刷品目に対する発注画面Ｐｂには、発注者によって入力された印刷品目の個別の発注数量、個別の発注数量分の見積もり金額が表示される。また、印刷品目に対する発注画面Ｐｂには、個別の発注数量分の見積もり金額に対する税込みの合計金額が表示される。また、印刷品目に対する発注画面Ｐｂには、今回の発注における印刷物の１部あたりの単価が表示されてもよい。印刷物の１部あたりの単価は、先の図９に示されるフローチャートの処理において、今回の個別の発注数量も含めたその処理時点までの合計発注数量が今回の合計発注数量として取り扱われることによって算出される。
【００５６】
なお、発注可能な印刷品目の一覧画面Ｐａ、もしくは、印刷品目に対する発注画面Ｐｂには、発注者と当該発注者の属する発注グループの他の構成員について、今回の処理時点までに各発注者の個別の発注数量が印刷品目ごとに表示されてもよい。また、今回の処理時点までに各発注者が発注した各印刷品目の合計発注数量や、合計発注数量に対応する総額が表示されてもよい。また、印刷品目ごとに、合計発注数量と価格との関係が価格データに基づいて表示されてもよい。こうした表示がなされることによれば、当該発注者が、これらの表示を参考にして、発注する印刷品目や発注数量を決定することができる。
【００５７】
図１１を参照して見積もり金額の算出の手順について説明する。図１１に示されるフローチャートは、発注者端末３０から個別の発注数量が入力されるごとに、金額算出部１２ｂにて行われる処理である。金額算出部１２ｂは、今回の個別の発注数量と、品目情報データベース１３ｂに登録されている当該印刷品目の価格データと、発注記録データベース１３ｃに登録されている当該印刷品目の発注データとに基づいて、見積もり金額を算出する。
【００５８】
図１１に示されるように、ステップＳ１１０にて、価格データにおいて、今回の個別の発注数量も含めた合計発注数量が、今回の処理時点までの合計発注数量として取り扱われ、今回の処理時点までの合計発注数量に対応付けられる価格が、一括価格であるか否かが判断される。
【００５９】
ステップＳ１１０にて、合計発注数量と対応付けられる価格が一括価格であると判断されると（ステップＳ１１０にてＹＥＳ）、ステップＳ１１２に進み、一括価格が個別の発発注数量に応じて按分される。すなわち、合計発注数量に占める個別の発注数量の比率が算出され、算出結果である比率と一括価格との乗算値が算出される。
【００６０】
ステップＳ１１０にて、合計発注数量と対応付けられる価格が一括価格ではない、すなわち単価価格であると判断されると（ステップＳ１１０にてＮＯ）、ステップＳ１１１に進み、単価価格と合計発注数量との乗算値が算出される。これにより、一括価格に対応する印刷単位での総額が算出される。総額が算出されると、ステップＳ１１２に進み、総額が当該発注の発注数量に応じて按分される。
【００６１】
ステップＳ１１２にて按分された値が算出されると、ステップＳ１１３に進み、ステップＳ１１２で求められた値に、小数点以下の端数があるか否かが判断される。ステップＳ１１３にて、端数がないと判断されると（ステップＳ１１３にてＮＯ）、ステップＳ１１５に進み、ステップＳ１１１で求められた値が見積もり金額として出力される。ステップＳ１１３にて、端数があると判断されると（ステップＳ１１３にてＹＥＳ）、ステップＳ１１４に進み、端数が切り上げられる。そして、ステップＳ１１５にて、端数が切り上げられた値が見積もり金額として出力される。
【００６２】
なお、上記見積もり金額の算出において、合計発注数量と対応付けられる価格が単価価格であると判断される場合には、単価価格に当該発注数量が掛けられることによって、見積もり金額が算出されてもよい。また、見積もり金額の算出対象となる印刷品目の発注者が単数である場合には、個別の発注数量が合計発注数量として取り扱われる。
【００６３】
図１２を参照して、印刷物の発注の手順について説明する。
図１２に示されるように、発注者によって、メニュー画面から発注対象の印刷品目が選択されると、選択に応じた信号が発注受付装置１０に入力される（ステップＳ６０）。選択に応じた信号が入力されると、発注者端末３０は、発注可能な印刷品目の一覧画面Ｐａの表示データの要求信号を発注受付装置１０に送信する（ステップＳ６１）。
【００６４】
発注受付装置１０では、発注者端末３０からの要求信号に応じて、データ処理部１２ａが、品目情報データベース１３ｂを検索する（ステップＳ６２）。データ処理部１２ａは、品目情報データベース１３ｂから、価格データの登録が完了しており、かつ、発注が許可される発注グループに当該発注者の属する発注グループが指定されており、かつ、発注締切日が過ぎていない印刷品目を抽出する。金額算出部１２ｂは、データ処理部１２ａによって抽出された印刷品目について、現在単価を算出する（ステップＳ６３）。データ処理部１２ａによって抽出されたデータと金額算出部１２ｂによって算出されたデータとに基づいて、発注可能な印刷品目の一覧画面Ｐａの表示データが発注者端末３０に送信される（ステップＳ６４）。
【００６５】
発注者端末３０では、受信された表示データに基づいて、発注可能な印刷品目の一覧画面Ｐａが表示される（ステップＳ６５）。なお、ステップＳ６２において、抽出の条件を満たす印刷品目が品目情報データベース１３ｂにない場合には、発注受付装置１０から発注者端末３０に発注可能な印刷品目がないことを通知する情報が送信されて、発注者端末３０には発注可能な印刷品目がない旨の通知が表示される。
【００６６】
発注可能な印刷品目の一覧画面Ｐａが表示されると、発注者は、発注する印刷品目を選択して発注者端末３０に印刷品目に対する発注画面Ｐｂを表示させ、印刷品目に対する発注画面Ｐｂから印刷品目の発注内容に関する発注見込みデータを発注者端末３０に入力する（ステップＳ６６）。発注見込みデータには、印刷物の発注数量、納品希望日等が含まれる。発注者端末３０は、入力された発注見込みデータを発注受付装置１０に送信する（ステップＳ６７）。
【００６７】
発注受付装置１０では、金額算出部１２ｂが、受信された発注見込みデータに含まれる発注数量と品目情報データベース１３ｂに登録されている価格データと、発注記録データベース１３ｃに登録されている当該印刷品目の発注データとに基づいて、見積もり金額を算出する（ステップＳ６８）。算出された見積もり金額のデータは、発注受付装置１０から発注者端末３０へ送信される（ステップＳ６９）。
【００６８】
見積もり金額のデータが受信されると、発注者端末３０では、印刷品目に対する発注画面Ｐｂに見積もり金額が表示される（ステップＳ７０）。発注者は、見積もり金額を確認する。発注者によって、発注の確定が選択されると、選択に応じた信号が発注者端末３０に入力され（ステップＳ７１）、発注者端末３０は、発注の確定を示す確定情報を発注受付装置１０に送信する（ステップＳ７２）。なお、発注の確定が選択されない場合には、発注見込みデータの再入力が許容される。
【００６９】
発注の確定を示す確定情報が受信されると、発注受付装置１０では、データ処理部１２ａが、発注見込みデータを発注記録データベース１３ｃに発注データとして登録する（ステップＳ７３）。そして、データ処理部１２ａは、発注が確定されたことを示す確定通知を受注者端末２０に送信する（ステップＳ７４）。
【００７０】
［確定金額の通知］
図１３を参照して、確定金額の通知について説明する。
図１３に示されるように、発注受付装置１０では、品目情報データベース１３ｂの印刷物データに含まれる発注締切日が過ぎたと判断されると、発注の受付が締め切られて、発注記録データベース１３ｃにて該当印刷品目の発注データが確定される（ステップＳ８０）。金額算出部１２ｂは、確定された発注データと価格データとに基づいて、発注者ごとの確定金額を算出する（ステップＳ８１）。このとき、先の図１１に示されるフローチャートの処理において、確定された発注データにおける各発注者による当該印刷品目の合計発注数量が、確定金額の算出時における合計発注数量として取り扱われ、当該合計発注数量に応じた見積もり金額が確定金額として算出される。すなわち、金額算出部１２ｂは、合計発注数量に応じた総額を個別の発注数量に応じて按分することによって確定金額を算出する。
【００７１】
確定金額が算出されると、金額が確定されたことを示す確定通知が各発注者の発注者端末３０に送信され、各発注者は、発注済の印刷品目の確認画面から確定金額を確認することが可能となる（ステップＳ８２）。また、金額が確定されたことを示す確定通知は受注者端末２０にも送信される（ステップＳ８３）。受注者は、通知を受けると、印刷物の印刷や発送、請求書の発行等の処理を行う。
【００７２】
なお、発注締切日が過ぎるまでは、発注済の印刷品目の確認画面には、その時点での見積もり金額が表示される。この場合、見積もり金額は、先の図１１に示されるフローチャートの処理において、合計発注数量が、その処理時点での発注データにおける各発注者による当該印刷品目の合計発注数量とされることによって算出される。
【００７３】
［発注受付装置の作用］
発注受付装置の作用について説明する。
本実施形態では、印刷品目の数量に応じた価格を示す価格データに基づいて、同一の印刷品目について受け付けた合計発注数量に対する総額が決定され、総額を各発注の数量に応じて按分にすることにより見積もり金額及び確定金額が算出される。したがって、印刷品目に対する発注数量ごとの価格設定についての自由度を向上させることができる。特に、価格データでは、単価価格及び一括価格のいずれか一方と、当該価格が適用される数量の範囲とが対応付けられている。すなわち、受注者は、単価価格と一括価格との２種類の価格のいずれかを選択して、数量に応じた価格を設定できる。したがって、印刷対象の印刷に使用される印刷装置や印刷対象の印刷に使用される用紙等に応じて、より自由度の高い価格設定が可能となる。
【００７４】
また、発注が確定された際の見積もり金額、全発注者からの発注が締め切られた後の確定金額がそれぞれ算出される。したがって、発注者にとっての利便性が向上される。さらに、発注から発注締切日までの途中におけるその時点での見積もり金額が、発注者からの要求に応じて算出されるため、発注者は必要に応じてその都度の金額を確認することができる。これによっても、利便性が向上される。
【００７５】
また、各印刷品目について、各印刷品目を発注できる権限を有する発注者が、グループ単位で管理される。そのため、印刷品目ごとに発注できる発注者が異なる場合であっても、その管理や印刷品目との対応付けを容易に行うことができる。
【００７６】
以上説明したように、本実施形態によれば、以下に列挙する効果が得られる。
（１）印刷品目の価格が印刷物の数量に応じて設定されるため、印刷品目の価格設定についての自由度を向上させることができる。
【００７７】
（２）同一の印刷品目について複数の発注が受け付けられ、個別発注数量の合計である合計発注数量から総額が決定される。そして、総額が各個別発注数量に応じて按分されて発注ごとの金額が算出される。したがって、合計発注数量に応じて発注者ごとの価格が決定されるため、例えば数量が多いほど割引率が高く設定される場合など、発注数量の増加を促す方式で価格の設定も可能となる。また、合計発注数量に応じて価格が決定されるにあたり、個別発注数量に相当する金額が的確に算出される。
【００７８】
（３）各印刷品目について、印刷品目を発注できる権限を有する発注者がグループ単位で管理されるため、管理が容易になる。
（４）発注の時点での見積もり金額と、発注が締め切られた後の確定した金額とが算出されるため、発注者にとっての利便性が高められる。
【００７９】
（５）数量と印刷品目の単価及び総額のいずれかが対応付けられて価格データが構成される。したがって、より自由度の高い価格設定が可能となる。
（変形例）
上記実施形態は、以下のように変更して実施することが可能である。
【００８０】
・価格データにおいて、合計発注数量に対応付けられる価格の種類が、単価価格、もしくは、一括価格のいずれか一方のみであってもよい。例えば、図１４に示されるように、価格データＤａでは、各印刷品目に対して、数量ごとに単価価格が設定されていてもよい。この場合、金額算出部１２ｂは、価格データＤａに基づき、当該印刷品目の合計発注数量に対応付けられた単価価格を求め、合計発注数量と単価価格との乗算値を総額として算出する。そして、金額算出部１２ｂは、算出された総額を個別の発注数量に応じて按分して見積もり金額あるいは確定金額を算出する。
【００８１】
・価格データは、印刷品目ごとではなく、一律に設定されてもよい。
・価格データは、印刷品目の合計発注数量に応じた価格を示すものであれば、テーブルに限らず、例えば、合計発注数量に対応付けられる価格が単価価格もしくは一括価格のみであって、印刷品目の合計発注数量をパラメータとして価格が算出される数式であってもよい。また、例えば、合計発注数量に対応付けられる価格が単価価格もしくは一括価格のみであって、印刷品目の合計発注数量と発注される頻度とをパラメータとして価格が算出されるマップであってもよい。
【００８２】
・価格データや印刷物データ等の各データの記憶部への登録の時期は、上述の場合に限られない。要は、発注者からの発注が行われる時点で、発注者情報データベース１３ａと品目情報データベース１３ｂとが構築されていればよい。
【００８３】
・発注見込みデータが発注データとして発注記録データベース１３ｃに記憶されて、発注が確定された後に、個別の発注数量の修正が可能とされてもよい。例えば、個別の発注数量の修正が可能な期間が設定されてもよく、個別の発注数量が承認権限を有するユーザから承認されるまで個別の発注数量の修正が可能とされてもよい。これらの場合、個別の発注数量の修正が行われる度に、金額算出部１２ｂによって、その都度の見積もり金額が算出される。
【００８４】
・見積もり金額が算出されず、発注が締め切られた後の確定金額のみが算出されて発注者に通知されてもよい。
・１つの印刷品目について、発注締切日が段階的に設定され、それぞれの発注締切日ごとに確定金額が算出されてもよい。
【００８５】
・例えば広告における支店名称等、同一の印刷品目に対し、発注者ごとに異なる追加印刷の注文が可能に設定され、合計発注数量に応じて算出された見積もり金額もしくは確定金額と、追加印刷の費用とが合算された金額が発注者端末３０に表示されてもよい。
【００８６】
・１つの発注者に対して、複数の発注グループが設定されていてもよい。また、発注グループが設定されず、印刷品目と、印刷品目に対して発注する権限を有する発注者とが、印刷品目ごとに対応付けられてもよい。また、発注元に制限を設けず、全ての印刷品目について、発注者端末３０の全てのユーザからの発注を受け付けてもよい。
【００８７】
・発注者、もしくは、受注者の中で、処理に対する権限に差異を設けてもよい。例えば、印刷品目に対する発注のみが可能な発注者と、印刷品目の登録と発注とが可能な発注者とを設定し、これらの発注者をログインＩＤによって識別してもよい。
【００８８】
・発注者、及び、受注者以外のユーザが登録され、デザインの登録や利用が可能とされてもよい。例えば、印刷物のデザインを印刷会社とは別のデザイン会社が担当する場合等には、デザイン会社がユーザとして登録され、このユーザに対してデザインの登録を行う権限が与えられてもよい。
【００８９】
・発注受付装置は、印刷物の印刷を管理する装置に対して確定した発注データを送信してもよい。
・１つの発注のみを受け付け、当該発注による個別の発注数量と価格データとに基づいて当該発注に対する見積もり金額が算出されてもよい。
【００９０】
・発注の対象は、印刷物に限らず、価格が設定される商品であればよい。
【符号の説明】
【００９１】
１０…発注受付装置、２０…受注者端末、３０…発注者端末、１１…通信部、１２…制御部、１２ａ…データ処理部、１２ｂ…金額算出部、１３…記憶部、１３ａ…発注者情報データベース、１３ｂ…品目情報データベース、１３ｃ…発注記録データベース、Ｄａ…価格データ。
【図１】
2014132380.tif 000003
【図２】
2014132380.tif 000004
【図３】
2014132380.tif 000005
【図４】
2014132380.tif 000006
【図５】
2014132380.tif 000007
【図６】
2014132380.tif 000008
【図７】
2014132380.tif 000009
【図８】
2014132380.tif 000010
【図９】
2014132380.tif 000011
【図１０】
2014132380.tif 000012
【図１１】
2014132380.tif 000013
【図１２】
2014132380.tif 000014
【図１３】
2014132380.tif 000015
【図１４】
2014132380.tif 000016